(57)【要約】      （修正有）【課題】置き基礎の運搬及び設置作業を人力によって容易に遂行することができ、かつ、設置後は強風時等に対しても安定して設置することができる置き基礎を提供する。【解決手段】上面に収納穴１０２が設けられた直方体の基礎体１０１と、該収納穴１０２に収納される重量塊３０と、を有する標柱据付用置き基礎１０であって、置き基礎１０は基礎体１０１と重量塊３０とを別々に運搬することができるため、運搬及び設置作業を人力によって容易に遂行することができる。また、設置場所に設置後は、置き基礎の重量は基礎体１０１と重量塊３０とを合わせた重量となるため、台風等の強風にも耐え得るものとなる。【選択図】図１
0003222561.tif 000002
【実用新案登録請求の範囲】
【請求項１】
上面に収納穴が設けられた台形の基礎体と、
該収納穴に収納される重量塊と、
を有することを特徴とする標柱据付用置き基礎。
【請求項２】
前記基礎体がコンクリート製である請求項１に記載の標柱据付用置き基礎。
【請求項３】
前記基礎体が、上面及び下面を除く外表面が鉄枠で覆われたコンクリート製ブロックである請求項１に記載の標柱据付用置き基礎。
【請求項４】
前記重量塊が鉄製である請求項１〜３のいずれかに記載の標柱据付用置き基礎。
【請求項５】
前記重量塊に運搬用の把手が設けられている請求項４に記載の標柱据付用置き基礎。
【請求項６】
前記運搬用の把手が前記重量塊に対して取り付け取り外し可能に設けられている請求項５に記載の標柱据付用置き基礎。
【請求項７】
前記収納穴の底部に、水抜き孔が設けられている請求項１〜６のいずれかに記載の標柱据付用置き基礎。
【請求項８】
前記収納穴に蓋が設けられている請求項１〜７のいずれかに記載の標柱据付用置き基礎。
【考案の詳細な説明】
【技術分野】
【０００１】
本考案は、バス停標識や道路標識等の標柱を歩道の傍らや車道に設置するための標柱据付用の置き基礎に関する。
【背景技術】
【０００２】
バス停標識や道路標識等の標柱を歩道の傍らや車道に設置するための方法として、歩道や車道に直接固定する方法の他、非特許文献１に記載のように重量のある基礎（置き基礎）を歩道や車道上に置き、そこに標柱を固定する方法がある。後者の場合、強風で標柱が倒れたり移動したりしないように、置き基礎は相当の重量のものを用意しなければならない。従来、そのような置き基礎として、重量が40〜80kg程度のコンクリート製ブロックが使用されていた。
【０００３】
そのような置き基礎タイプの標柱を歩道や車道の所定の場所に設置するためには、別の場所で予めプレキャスト法等により作製されたコンクリート製ブロックを現場まで運搬して該所定場所に置き、そのコンクリート製ブロックにバス停標識等の標柱を取り付けるという方法が一般であった。しかし、前記のように相当の重量のあるものを、当該所定場所の近くまで運搬する際にはトラック等を利用することができるものの、トラック等から降ろして所定場所まで運搬する際には人力に頼らざるを得ず、作業者の大きな負担となっていた。設置場所を変更する場合も、作業者には初期設置時と同様の負担がかかる。また近年、台風等の強い風に対する耐性（安定性）が要求されるようになってきたことから、置き基礎の重量は増加傾向にあり、100〜120kg程度のものも使用され始めている。このため、作業者への負担は更に大きなものとなっている。
【先行技術文献】
【非特許文献】
【０００４】
【非特許文献１】バス停留所案内表示板, 株式会社オージ,[令和1年5月13日検索],インターネット<URL:http://www.kk-oji.co.jp/busstop/busstop1.html>
【考案の概要】
【考案が解決しようとする課題】
【０００５】
本考案が解決しようとする課題は、置き基礎の運搬及び設置作業を人力によって容易に遂行することができ、かつ、設置後は強風時等に対しても安定して設置することができる置き基礎を提供することである。
【課題を解決するための手段】
【０００６】
上記課題を解決するために成された本考案に係る標柱据付用置き基礎は、
上面に収納穴が設けられた台形の基礎体と、
該収納穴に収納される重量塊と、
を有することを特徴とする。
【０００７】
本考案に係る標柱据付用置き基礎において、基礎体の形状が「台形」であるとは、下面及び上面が共に略平面であって、下面と上面が同一形状、又は、下面よりも上面が狭い形状であることを言う。平面形状は円形、四角形等、どのような形でもよい。なお、下面は平面である必要があるが、上面は、中央が多少盛り上がっていたり（凸状であったり）、中央がやや低い凹状であっても構わない。
【０００８】
前記基礎体の上面には、標柱が予め固定されていてもよいし、後に標柱を固定するための標柱固定穴を設けておき、本置き基礎を所定場所に設置した後にその標柱固定穴に標柱を固定するようにしてもよい。
【０００９】
前記基礎体は、設置場所とは別の場所（例えば、製造工場）においてコンクリート等で製造し、それを設置場所まで運搬してくる。また、鉄塊等の重量塊はそれとは別に設置場所まで運搬してくる。そして、基礎体を設置場所に正しく設置した後、その上面の収納穴に重量塊を挿入する。このように、本考案に係る標柱据付用置き基礎は基礎体と重量塊とを別々に運搬することができるので、運搬が楽になる。設置場所を移設する場合も、同様に、基礎体と重量塊とを別々に運搬することができる。一方、設置場所に設置した後は、置き基礎の重量は両者を合わせた重量となるため、台風等の強風にも耐え得るものとなる。
【００１０】
前記基礎体の材料には、例えばコンクリートを用いることができる。前記重量塊の材料には、例えば鉄を用いることができる。
【００１１】
前記重量塊には、運搬用の把手を設けておくことが望ましい。これにより、重量塊の運搬及び設置作業が楽になる。また、この把手は、重量塊に対して取り付け取り外し可能としておくことが望ましい。これにより、設置場所に設置した後は重量塊の盗難を防止することができる。
【００１２】
前記基礎体をコンクリート製ブロックとする場合、その上面及び下面を除く外表面に鉄枠を設けてもよい。
【００１３】
前記収納穴の底部には、水抜き孔を設けておくことが望ましい。これにより、収納穴に雨水が溜まることを防ぐ。
【００１４】
前記収納穴には、蓋を設けておくことが望ましい。これにより、収納穴に雨水が溜まることを防ぐことができる。さらに、該収納穴に収納されている前記重量塊の盗難を防ぐことができる。
【考案の効果】
【００１５】
本考案の標柱据付用置き基礎は、運搬及び設置作業を人力によって容易に遂行することができ、かつ、設置後は強風時等に対しても安定している。
【図面の簡単な説明】
【００１６】
【図１】（１）本考案に係る標柱据付用置き基礎の第１実施形態の基礎体の重量塊を取り付ける前の様子を示す斜視図、（２）重量塊を取り付けた後の様子を示す斜視図。
【図２】（１）第１実施形態の標柱据付用置き基礎の基礎体の上面図、（２）II-II断面図、（３）III-III断面図。
【図３】（１）第１実施形態の標柱据付用置き基礎の重量塊の上面図、（２）正面図、（３）側面図。
【図４】第１実施形態の標柱据付用置き基礎の蓋の上面図。
【図５】（１）本考案に係る標柱据付用置き基礎の第２実施形態の基礎体の重量塊を取り付ける前の様子を示す斜視図、（２）重量塊を取り付けた後の様子を示す斜視図。
【図６】（１）第２実施形態の標柱据付用置き基礎の基礎体の上面図、（２）II-II断面図、（３）III-III断面図。
【考案を実施するための形態】
【００１７】
＜第１実施形態＞
以下、本考案に係る標柱据付用置き基礎の第１実施形態について図１〜図４を参照しつつ説明する。ここでは、標柱据付用置き基礎の上面に標柱が予め固定されているものとして図示する。
【００１８】
＜１．構成＞
図１及び図２に、本実施形態の標柱据付用置き基礎１０を示す。標柱据付用置き基礎１０は、上面に標柱固定穴Ｈが1つ、収納穴１０２が2つ設けられた直方体（前記台形に該当）形状の基礎体１０１と、それぞれの収納穴１０２に1個ずつ収納される重量塊３０と、を備える。重量塊３０の上面には2つのタップ穴３０１ａ及び３０１ｂが設けられている。
【００１９】
置き基礎の道路占有領域が幅450mm×奥行き450mmに制限されていることにあわせて、本実施形態の標柱据付用置き基礎１０の基礎体１０１は、横幅Ｌ１が450mm、奥行きＬ２が450mmとなっている。また、高さＬ３は250mmとなっている。収納穴１０２の大きさは、横幅Ｌ１１が332mm、縦幅Ｌ１２が32mm、深さＬ１３が200mmとなっており、該収納穴１０２の底部には直径Ｌ４が10mmの水抜き孔１０３が設けられている。標柱固定穴Ｈの開口部は、1辺40mmの正方形となっている。
【００２０】
本実施形態の標柱据付用置き基礎１０における基礎体１０１は単位体積重量が2300kg/m3の普通コンクリートにより作製され、重量塊３０を除く重量は約106kgである。
【００２１】
図３に、収納穴１０２に挿入される重量塊３０を示す。重量塊３０は、横幅Ｌ３１が330mm、奥行きＬ３２が30mm、高さＬ３３が190mmの直方体である。また、重量塊３０の上面には、左端部及び右端部からそれぞれ15mm、65mmのところにタップ穴３０１ａ及び３０１ｂが設けられている。これらのタップ穴３０１ａ、３０１ｂに運搬用の把手３０２（図１（２）参照）を設けることにより、重量塊３０を基礎体１０１の収納穴１０２内に容易に取り付け、取り外すことができる。
【００２２】
本実施形態の標柱据付用置き基礎１０における重量塊３０は鉄製であり、その重量は2個合わせて約30kgである。
【００２３】
収納穴１０２には蓋４０が用意されており、図４に示すように、その横幅Ｌ４１は400mm、奥行きＬ４２は60mmとなっている。また、蓋４０の4角には、端からそれぞれ15mm、15mmのところにキリ穴４０１ａ〜４０１ｄが設けられている。これらに対応する箇所の基礎体１０１に予めコンクリートドリルで穴１０４ａ〜１０４ｄ（図２（１）参照）を開け、そこに樹脂製のアンカー（プラグアンカー）を埋め込んでおく。収納穴１０２上に蓋４０を置いた後、木ネジ等で蓋４０のキリ穴４０１ａ〜４０１ｄを通してアンカーにねじ込むことにより、蓋４０を基礎体１０１に固定することができる。
【００２４】
＜２．標柱据付用置き基礎の使用方法＞
本実施形態の標柱据付用置き基礎１０の基礎体１０１及び重量塊３０は設置場所とは別の場所（例えば、製造工場）において製造し、それらを別々に設置場所まで運搬してくる。この時、基礎体１０１のみの重量は、約106kgとなり、収納穴が設けられていない同サイズのコンクリート基礎体の重量約116kgを下回る。また、2個の重量塊３０の総重量は約30kgである。このように、本実施形態の標柱据付用置き基礎１０は基礎体１０１と重量塊３０とを別々に運搬することができるため、運搬が比較的容易である。そして、基礎体１０を設置場所に正しく設置した後、基礎体１０１の2つの収納穴１０２にそれぞれ1個ずつ重量塊３０を収納し、重量塊３０から運搬用の把手３０２を取り外したうえで、蓋４０を基礎体１０１に固定することにより、標柱据付用置き基礎１０の設置作業が完了する。このとき、把手３０２及び蓋４０は必須ではない。設置場所に設置した後は基礎体１０１および重量塊３０を合わせた総重量は約136kgと、相当な重量となり、台風などの強風にも耐え得るものとなる。
【００２５】
＜第２実施形態＞
以下、本考案に係る標柱据付用置き基礎の第２実施形態について、第１実施形態と異なる部分を中心に、図５及び図６を参照しつつ説明する。第１実施形態と同様に、標柱据付用置き基礎の上面に標柱が予め固定されているものとして図示する。また、第１実施形態と同一箇所には同一符号を付している。
【００２６】
＜１．構成＞
図５は本実施形態の標柱据付用置き基礎２０の斜視図である。標柱据付用置き基礎２０は、上面に標柱固定穴Ｈが1つ、収納穴２０２が2つ、及びプラグアンカーを設置するための穴が8つ（図６（１）参照）設けられ、上面及び下面を除く外表面が鉄枠２０４で覆われた直方体形状のコンクリート製基礎体２０１と、それぞれの収納穴１０２に1個ずつ収納される重量塊３０と、を備える。重量塊３０の上面には2つのタップ穴３０１ａ及び３０１ｂが設けられている。
【００２７】
鉄枠２０４の厚さＬ５４は9mmとなっており、この鉄枠２０４内にコンクリートを流し込むことにより基礎体２０１を作製する。鉄枠２０４を含む全体の寸法は図６（１）の上面図に示すように、横幅Ｌ５１が450mm、奥行きＬ５２が450mmとなっている。また、高さＬ５３は250mmとなっており、全体としては、第１実施形態と同じ寸法となっている。収納穴２０２の大きさも、第１実施形態同様、横幅Ｌ１１が332mm、縦幅Ｌ１２が32mm、深さＬ１３が200mmとなっており、該収納穴２０２の底部には直径Ｌ４が10mmの水抜き孔２０３が設けられている。標柱固定穴Ｈの開口部も第１実施形態同様に、1辺40mmの正方形となっている。
【００２８】
本実施形態の標柱据付用置き基礎２０における基礎体２０１の重量塊３０を除く重量は約128kgである。
【００２９】
本実施形態の標柱据付用置き基礎２０において、重量塊３０及び蓋４０は、第１実施形態と同一のものを使用することができる。
【００３０】
＜２．標柱据付用置き基礎の使用方法＞
本実施形態の標柱据付用置き基礎２０の基礎体２０１も第１実施形態と同様に、設置場所とは別の場所（例えば、製造工場）において製造し、設置場所まで運搬してくる。この時、基礎体２０１のみの重量は、約128kgとなり、収納穴が設けられていない同サイズの外表面に鉄枠が設けられているコンクリート基礎体の重量約138kgを下回る。このように、本実施形態の標柱据付用置き基礎２０は基礎体２０１と重量塊３０とを別々に運搬することができるため、比較的容易に運搬することができる。そして、設置場所に設置した後は基礎体２０１および2個の総重量が約30kgである重量塊３０を合わせた総重量は約158kgと、相当な重量となり、台風などの強風にも耐え得るものとなる。
【００３１】
＜変形例＞
上記の実施形態では、直方体の基礎体１０１を用いたが、四角錐台や円錐台といった形状の基礎体を用いてもよい。
【００３２】
上記の実施形態では、収納穴１０２を2つ設け、板状の重量塊３０をそれぞれに1つずつ収納したが、収納穴１０２の数は3つ以上としてもよいし、1つのみであってもよい。また1つの収納穴１０２に収納する重量塊３０の数は2個以上であってもよい。
【符号の説明】
【００３３】
１０、２０…標柱据付用置き基礎
１０１、２０１…基礎体
１０２、２０２…収納穴
１０３、２０３…水抜き孔
２０４…鉄枠
３０…重量塊
３０２…運搬用の把手
４０…蓋
H…標柱固定穴
【図１】
0003222561.tif 000003
【図２】
0003222561.tif 000004
【図３】
0003222561.tif 000005
【図４】
0003222561.tif 000006
【図５】
0003222561.tif 000007
【図６】
0003222561.tif 000008